(57)【要約】【課題】電磁調理器の通風構成を改良し、冷却効率の向上と組立工数の低減を図る。【課題手段】外郭ケース１内に加熱コイル２と、加熱コイル２を駆動するインバータ回路３と、これらに冷却風を通流するモータファンユニット４とが設置される電磁調理器において、冷却風の入口開口１６及び出口開口１７を有する閉塞された筐体１５にインバータ回路３及びモータファンユニット４を収容し、この筐体１５を外郭ケース１に挿入するようにする。入口開口１６と出口開口１７との間に、閉塞された筐体１５により密閉された風路５を形成し、風漏れを防止してインバータ回路３の冷却効率を高めることができる。また、外郭ケース１の外部で筐体１５にインバータ回路３やモータファンユニット４を組み込み、この筐体１５を外郭ケース１内に挿入することにより組立作業を簡単にすることができる。【選択図】      図１
2005085641.tif 000002
【特許請求の範囲】
【請求項１】
冷却風の吸入口と排出口とを有する外郭ケース内に、加熱コイルと、この加熱コイルを駆動するインバータ回路と、モータファンユニットとが設置されるとともに、前記インバータ回路に冷却フィンが搭載され、前記モータファンユニットにより前記吸入口から吸引した冷却風を前記冷却フィン及び加熱コイルに通流させて前記排出口から排出する電磁調理器において、
前記冷却風の入口開口及び出口開口を有する閉塞された筐体に前記インバータ回路及びモータファンユニットを収容し、この筐体を前記外郭ケースに挿入するようにしたことを特徴とする電磁調理器。
【請求項２】
前記筐体を展開された１枚の板体から折り曲げて形成したことを特徴とする請求項1記載の電磁調理器。
【請求項３】
前記筐体の前記入口開口及び出口開口近傍の壁を前記冷却風の通流方向に沿わせて傾斜させたことを特徴とする請求項1記載の電磁調理器。
【請求項４】
前記冷却フィンの通風方向に対する左右両側に、前記冷却風を前記冷却フィンに導入する風路ガイドを設けたことを特徴とする請求項1記載の電磁調理器。
【請求項５】
冷却風の吸入口と排出口とを有する外郭ケース内に、加熱コイルと、この加熱コイルを駆動するインバータ回路と、モータファンユニットとが設置されるとともに、前記インバータ回路に冷却フィンが搭載され、前記モータファンユニットにより前記吸入口から吸引した冷却風を前記冷却フィン及び加熱コイルに通流させて前記排出口から排出する電磁調理器において、
前記冷却フィンの通風方向に対する左右両側に、前記冷却風を前記冷却フィンに導入する風路ガイドを設けたことを特徴とする電磁調理器。
【請求項６】
前記インバータ回路を前記モータファンユニットの吸込み側に配置したことを特徴とする請求項１又は請求項５記載の電磁調理器。
【請求項７】
冷却風の吸入口と排出口とを有する外郭ケース内に、加熱コイルと、この加熱コイルを駆動するインバータ回路と、モータファンユニットとが設置されるとともに、前記インバータ回路に冷却フィンが搭載され、前記モータファンユニットにより前記吸入口から吸引した冷却風を前記冷却フィン及び加熱コイルに通流させて前記排出口から排出する電磁調理器において、
前記インバータ回路を前記モータファンユニットの吸込み側に配置したことを特徴とする電磁調理器。
【発明の詳細な説明】
【技術分野】
【０００１】
この発明は、食材鍋を誘導加熱して食材を調理する電磁調理器に関し、特に発熱部を冷却するための通風構造に関する。
【背景技術】
【０００２】
電磁調理器の通風構造については、例えば特許文献１に記載されているが、この種の通風構造を有する電磁調理器の従来例について、図１０及び図１１に改めて示す。ここで、図１０は電磁調理器の縦断面図、図１１は図１０におけるインバータ回路の平面図である。図１０において、上面が開口した外郭ケース１内に、加熱コイル２と、加熱コイル２を駆動するインバータ回路３と、モータファンユニット４とが設置されている。図１０の左側が電磁調理器の前面側で、インバータ回路３とモータファンユニット４とは外郭ケース１の底面上に支持され、前後方向の風路５を形成する蓋板６により上面を覆われている。インバータ回路３の基板上には、図１１に示すようにアルミ合金などからなる冷却フィン７が搭載され、ＩＧＢＴなどの発熱の大きい素子は冷却フィン７に取り付けられている。
【０００３】
加熱コイル２はインバータ回路３の上方に配置され、外郭ケース１に保持されたコイル支持台８上に載置されている。加熱コイル２及びインバータ回路３の前方（図１０の左方）には、後述するように冷却風を加熱コイル側に回す逆Ｌ字状の風路壁９が直立に設置されている。外郭ケース１の上面には加熱コイル２に近接するように透磁性のトッププレート１０が装着されている。
【０００４】
図１０の電磁調理器において、トッププレート１０上に磁性材からなる図示しない調理鍋を置き、インバータ回路３から加熱コイル２に高周波電流を供給すると、加熱コイル２の磁束が調理鍋と鎖交し、調理鍋に誘導電流が流れる。その結果、調理鍋が抵抗損で発熱し、調理鍋に入れられた食材が加熱調理される。
【０００５】
上記通電中にはモータファンユニット４が同時に駆動され、外郭ケース１の背面側（図１０の右側）上部に設けられた吸入口１１から冷却風（外気）が吸引される。この冷却風は矢印で示すように、風路５内の冷却フィン７を通流してインバータ回路３を冷却する。次いで、冷却風は風路壁９に当たって上方に折り返し、コイル支持台８とトッププレート１０との間の加熱コイル２を通流してこれを冷却した後、吸入口１１に隣接して外郭ケース１に設けられた図示しない排出口から外部に排出される。
【特許文献１】特開２００２−１９８１６３号公報
【発明の開示】
【発明が解決しようとする課題】
【０００６】
上記した電磁調理器において、従来は次のような問題があった。
(1)  外郭ケース１に個別に取り付けられた蓋板６や風路壁９により風路５が形成されているが、これらの板材６，９と外郭ケース１の壁面とを組み合わせた風路５は冷却風の周辺への漏れが多く冷却効率が悪い。
(2)  狭い外郭ケース１内へのインバータ回路３、モータファンユニット４、蓋板６、風路壁９等の組み込みは作業性が悪く組立に手間がかかる。
(3)  インバータ回路３はモータファンユニット４の吐出し側に配置されているが、モータファンユニット４から風路壁９までの距離が長いため、冷却風が風路壁９に突き当たっても加熱コイル２側に円滑に流れず、外郭ケース１の底部で旋回したりインバータ回路３の下側に逆流したりする。また、モータファンユニット４の吐出し風は羽根回転方向に旋回成分を持っているため、冷却フィン７の冷却風流入口付近は複雑な乱流状態となり冷却フィン７に流入しにくい。
(4)  冷却フィン７と蓋板６との間は接近しているが、冷却フィン７の左右側方は図１１に示すように隙間が大きいため、冷却フィン７に流入すべき冷却風が冷却フィン７の側方に逃げやすい。
【０００７】
そこで、この発明の課題は、電磁調理器の通風構成を改良し、冷却効率の向上と組立工数の低減を図ることにある。
【課題を解決するための手段】
【０００８】
上記課題を解決するために、この発明は、冷却風の吸入口と排出口とを有する外郭ケース内に、加熱コイルと、この加熱コイルを駆動するインバータ回路と、モータファンユニットとが設置されるとともに、前記インバータ回路に冷却フィンが搭載され、前記モータファンユニットにより前記吸入口から吸引した冷却風を前記冷却フィン及び加熱コイルに通流させて前記排出口から排出する電磁調理器において、前記冷却風の入口開口及び出口開口を有する閉塞された筐体に前記インバータ回路及びモータファンユニットを収容し、この筐体を前記外郭ケースに挿入するようにするものとする（請求項１）。
【０００９】
請求項１の発明によれば、閉塞された筐体により密閉された風路を形成し、風漏れを防止してインバータ回路の冷却効率を高めることができる。また、外郭ケースの外部で筐体にインバータ回路やモータファンユニットを組み込み、この筐体を外郭ケース内に挿入することができるので、風路部材やインバータ回路、モータファンユニット等を個別に外郭ケースに組み込む煩わしさがなくなる。
【００１０】
請求項１の発明において、前記筐体を展開された１枚の板体から折り曲げて形成すれば製作が容易になる（請求項２）。
【００１１】
請求項１の発明において、前記筐体の前記入口開口及び出口開口近傍の壁を前記冷却風の通流方向に沿わせて傾斜させるのがよく、これにより冷却風の流れが円滑になる（請求項３）。
【００１２】
請求項１の発明において、前記冷却フィンの通風方向に対する左右両側に、前記冷却風を前記冷却フィンに導入する風路ガイドを設けるとよい（請求項４）。これにより、冷却フィンの左右側方への冷却風の逃げを防ぎ、冷却フィンの通風量を増やすことができる。
【００１３】
また、この発明は、冷却風の吸入口と排出口とを有する外郭ケース内に、加熱コイルと、この加熱コイルを駆動するインバータ回路と、モータファンユニットとが設置されるとともに、前記インバータ回路に冷却フィンが搭載され、前記モータファンユニットにより前記吸入口から吸引した冷却風を前記冷却フィン及び加熱コイルに通流させて前記排出口から排出する電磁調理器において、前記冷却フィンの通風方向に対する左右両側に、前記冷却風を前記冷却フィンに導入する風路ガイドを設けるものである（請求項５）。インバータ回路やモータファンユニットを外郭ケース内に直に組み込んだ場合においても、上記請求項４と同様に、風路ガイドを設けることにより、冷却フィンの左右側方への冷却風の逃げを防ぎ、冷却フィンの通風量を増やすことができる。
【００１４】
請求項１又は請求項５の発明において、前記インバータ回路を前記モータファンユニットの吸込み側に配置するとよい（請求項６）。インバータ回路をモータファンユニットの吸込み側に配置することにより、モータファンユニットが加熱コイルに接近して加熱コイルに対する冷却風の押し込み力が強くなり、加熱コイルの通風量が増加する。また、冷却フィンに対する冷却風の流れが円滑になり、冷却フィンの冷却効率が向上する。
【００１５】
また、この発明は、冷却風の吸入口と排出口とを有する外郭ケース内に、加熱コイルと、この加熱コイルを駆動するインバータ回路と、モータファンユニットとが設置されるとともに、前記インバータ回路に冷却フィンが搭載され、前記モータファンユニットにより前記吸入口から吸引した冷却風を前記冷却フィン及び加熱コイルに通流させて前記排出口から排出する電磁調理器において、前記インバータ回路を前記モータファンユニットの吸込み側に配置するものとする（請求項７）。
【００１６】
請求項７の発明によれば、インバータ回路やモータファンユニットを外郭ケース内に直に組み込んだ場合や冷却フィンの上記風路ガイドを設けない場合においても、上記請求項６と同様に、インバータ回路をモータファンユニットの吸込み側に配置することにより、加熱コイルや冷却フィンの冷却効率を高めることができる。
【発明の効果】
【００１７】
この発明によれば、インバータ回路及びモータファンユニットを収容する筐体や冷却フィン両側の風路ガイドの設置により、冷却風の漏れや逃げを防止しインバータ回路の冷却効率を高めることができる。更に、モータファンユニットの吸込み側にインバータ回路を配置することにより、冷却フィンへの冷却風の流入を円滑にし、また加熱コイルへの冷却風の押し込みを容易にして、インバータ回路及び加熱コイルの冷却効率を高めることができる。
【発明を実施するための最良の形態】
【００１８】
以下、図１〜図９に基づいて、この発明の実施の形態を説明する。なお、従来例と対応する部分には同一の符号を用いるものとする。
【実施例１】
【００１９】
図１は、この発明の実施例１を示す電磁調理器の縦断面図である。図１において、図１０の従来例との実質的な相違は、インバータ回路３及びモータファンユニット４が閉塞された筐体１５に収容された状態で外郭ケース１内に設置されている点である。図２に、筐体１５の斜視図を示す。図示の通り、筐体１５は前後壁１５ａ及び１５ｂが舟形に傾斜したダクトで、後端部（図２の右端部）上面に冷却風の入口開口１６を有し、前端部（同左端部）上面に冷却風の出口開口１７を有しており、開口１６，１７間は密閉されている。
【００２０】
筐体１５は、図３に形状を示す展開された１枚の合成樹脂の板体から折り曲げて形成され、各面が突き合わされる角部は図示しない突起と切欠との係合により結合されている。インバータ回路３及びモータファンユニット４は外郭ケース１の外部で筐体１５に収容され、筐体１５と一体に外郭ケース１に挿入される。この筐体１５は四隅の取付穴１８を介して外郭ケース１の底面にねじ止めされる。筐体１５の上面の蓋板１５ｃは、外郭ケース１内に挿入された後に閉じられる。
【００２１】
図１に示すように、外郭ケース１に挿入された筐体１５の入口開口１６は外郭ケース１の吸入口１１に対面し、出口開口１７は加熱コイル２の前方（図１の左方）空間に対面する。このような電磁調理器において、冷却風の通流経路は図１０と実質的に同じで、冷却風は矢印で示すように流れる。その場合、図１においては、冷却風の入口開口１６と出口開口１７との間の風路５が筐体１５により密閉されていて風漏れが生じないので、インバータ回路３に対する冷却効率が高い。また、外郭ケース１の外部で筐体１５にインバータ回路３やモータファンユニット４を組み込み、この筐体１５を外郭ケース１内に挿入することができるので組立作業が簡単である。
【００２２】
一方、図１において、筐体１５の入口開口１６及び出口開口１７の近傍の壁１５ｂ及び１５ａは冷却風の通流方向に沿って傾斜しているので、冷却風の筐体１５への流入及び筐体１５からの流出が容易で、インバータ回路３の前方（図１の左方）においても冷却風は前壁１５ａに沿って吹き上がり、加熱コイル２に円滑に流入する。
【実施例２】
【００２３】
図４はこの発明の実施例２を示すもので、図１における筐体１５の水平断面図である。この実施例２は、冷却フィン７の通風方向に対する左右両側に風路ガイド１９，１９を設けたものである。風路ガイド１９は合成樹脂の板材から台形状に折り曲げ形成され、筐体１５の側壁内面に接着などにより固定されている。インバータ回路３の基板３ａは冷却フィン７より横幅が広く、従って冷却フィン７の左右側方には隙間が生じるが、この隙間は通風抵抗が少ないため、そのままでは冷却風は冷却フィン７よりも隙間に向かいやすい。そこで、図示の通り冷却風を冷却フィン７に導入する風路ガイド１９，１９を設けることにより、冷却フィン７の左右側方への冷却風の逃げを防ぎ、冷却フィン７の通風量を増やすことができる。
【実施例３】
【００２４】
図５は、この発明の実施例３を示す外郭ケース内部の平面図である。この実施例３は、筐体１５を有しない、例えば図１０の従来の電磁調理器において、外郭ケース１の底面から左右一対の側板２０を立ち上げ、その内壁面に実施例２と同様の風路ガイド１９を取り付けたものである。この実施例３においても、冷却フィン７の左右側方への冷却風の逃げを防ぎ、冷却フィン７の通風量を増やすことができる。
【実施例４】
【００２５】
図６は、この発明の実施例４を示す電磁調理器の縦断面図である。この実施例４は図１実施例１に示す電磁調理器におけるモータファンユニット４の位置を前方（図６の左方）に移し、インバータ回路３をモータファンユニット４の吸込み側に配置したものである。この実施例４によれば、モータファンユニット４が加熱コイル２に接近するため、加熱コイル２に対する冷却風の押し込み力が強くなり加熱コイル２の通風量が増加する。また、モータファンユニット４の吸込み側では冷却風は周方向成分を持たず、羽根の回転軸方向に流れるため、冷却フィン７に対する冷却風の流入が円滑になりインバータ回路３の冷却効率が向上する。
【実施例５】
【００２６】
図７は、この発明の実施例５を示す電磁調理器の筐体の水平断面図である。この実施例５は、図４の実施例２におけるモータファンユニット４を実施例４（図６）と同様に前方に移したものである。この実施例５では冷却フィン７の側方に風路ガイド１９，１９が設けられる上、インバータ回路３がモータファンユニット４の吸込み側に位置するため、冷却フィン７に流入する冷却風量が実施例２と同様に、インバータ回路３の冷却効率が向上する。
【実施例６】
【００２７】
図８は、この発明の実施例６を示す電磁調理器の外郭ケース内部の平面図である。この実施例６は、図５の実施例３におけるモータファンユニット４を実施例４（図６）と同様に、前方に移したものである。この実施例６においても、実施例５で述べたと同様の理由により、もインバータ回路３の冷却効率が向上する。
【実施例７】
【００２８】
図９は、この発明の実施例７を示す電磁調理器の縦断面図である。この実施例７は、筐体１５を有しない、例えば図１０の従来の電磁調理器において、モータファンユニット４を実施例４（図６）と同様に前方に移したものである。この実施例７においても、冷却フィン７への冷却風の流入を円滑にして、インバータ回路３の冷却効率を高めることができる。なお、図９においては、蓋板６は左右に側壁６ａを有する門形に形成され、風路５の密閉性が高められている。
【図面の簡単な説明】
【００２９】
【図１】この発明の実施例１を示す電磁調理器の縦断面図である。
【図２】図１における筐体の斜視図である。
【図３】図２の筐体の展開図である。
【図４】この発明の実施例２を示す電磁調理器の要部水平断面図である。
【図５】この発明の実施例３を示す電磁調理器の要部水平断面図である。
【図６】この発明の実施例４を示す電磁調理器の縦断面図である。
【図７】この発明の実施例５を示す電磁調理器の要部水平断面図である。
【図８】この発明の実施例６を示す電磁調理器の要部水平断面図である。
【図９】この発明の実施例７を示す電磁調理器の縦断面図である。
【図１０】従来の電磁調理器を示す縦断面図である。
【図１１】図１０におけるインバータ回路の平面図である。
【符号の説明】
【００３０】
１    外郭ケース
２    加熱コイル
３    インバータ回路
４    モータファンユニット
７    冷却フィン
１５    筐体
１６    入口開口
１７    出口開口
１９    風路ガイド
【図１】
2005085641.tif 000003
【図２】
2005085641.tif 000004
【図３】
2005085641.tif 000005
【図４】
2005085641.tif 000006
【図５】
2005085641.tif 000007
【図６】
2005085641.tif 000008
【図７】
2005085641.tif 000009
【図８】
2005085641.tif 000010
【図９】
2005085641.tif 000011
【図１０】
2005085641.tif 000012
【図１１】
2005085641.tif 000013